(57)【要約】【課題】製造し易い電池パックを提供する。【解決手段】電池パック１は、雌ネジ孔２１ｆに螺挿されて、収納ケース２０の一方端側壁部２１ｂを貫通する態様で一方端側壁部２１ｂに装着された加圧ボルト３０であって、当該加圧ボルト３０の先端部３０ｂが電池スタック１０の一方端部１０ｂに当接する加圧ボルト３０を有する。電池スタック１０は、収納ケース２０の他方端側壁部２１ｃと加圧ボルト３０の先端部３０ｂとの間に挟まれる態様で、列置方向ＤＬに加圧されている。【選択図】図１
2020102331.tif 000002
【特許請求の範囲】
【請求項１】
列置方向に一列に列置された複数の電池を有する電池スタックと、
前記電池スタックを収納する収納ケースと、を備える
電池パックであって、
前記収納ケースの壁部のうち前記列置方向の一方端側に位置する一方端側壁部であって、前記電池スタックのうち前記列置方向の一方端側に位置する一方端部と対向する一方端側壁部は、当該一方端側壁部を前記列置方向に貫通する雌ネジ孔を有し、
前記電池スタックのうち前記列置方向の他方端側に位置する他方端部は、前記収納ケースの壁部のうち前記列置方向の他方端側に位置する他方端側壁部に接触しており、
前記電池パックは、
前記雌ネジ孔に螺挿されて前記一方端側壁部を貫通する態様で前記一方端側壁部に装着された加圧ボルトであって、当該加圧ボルトの先端部が前記電池スタックの前記一方端部に当接する加圧ボルトを有し、
前記電池スタックは、前記収納ケースの前記他方端側壁部と前記加圧ボルトの前記先端部との間に挟まれる態様で、前記列置方向に加圧されている
電池パック。
【発明の詳細な説明】
【技術分野】
【０００１】
本発明は、電池パックに関する。
【背景技術】
【０００２】
特許文献１には、列置方向に一列に列置された複数の電池を有する電池スタックと、この電池スタックを収納する収納ケースとを備える電池パックが開示されている。
【先行技術文献】
【特許文献】
【０００３】
【特許文献１】特開２０１４−１０２９３９号公報
【０００４】
特許文献１には、以下のような電池パックを製造する方法が開示されている。具体的には、まず、収納ケース内に、複数の電池を列置方向に一列に列置しつつ収納する。但し、列置方向に隣り合う電池の間、収納ケースの一方端側壁部と電池との間、及び、収納ケースの他方端側壁部と電池との間に、隙間を設けるようにして、複数の電池を収納ケース内に配置する。その後、列置方向に隣り合う電池の間の隙間、収納ケースの一方端側壁部と電池との間の隙間、及び、収納ケースの他方端側壁部と電池との間の隙間に、中間部材を挿入する。このようにして、列置方向に一列に列置された複数の電池と中間部材とを有する電池スタックが形成されると共に、当該電池スタックが収納ケース内に収納された電池パックが製造される。
【発明の概要】
【発明が解決しようとする課題】
【０００５】
ところで、電池パックとして、収納ケース内に収納された電池スタックが列置方向に一定の荷重で加圧された状態（圧縮荷重が付加された状態）の電池パックが求められている。すなわち、収納ケース内に収納された電池スタックに対し列置方向に一定の拘束荷重がかかった状態の電池パックを製造することが求められている。しかしながら、電池スタックを構成する電池には、列置方向寸法（厚み）に少なからずバラツキ（製造誤差）があるため、複数の電池が列置方向に列置された電池スタックでは、列置方向寸法にバラツキが生じてしまうことがある。
【０００６】
このため、列置方向に一定の拘束荷重がかけられた状態の電池スタックを有する電池パックを製造するために、以下のような製造方法が検討されている。具体的には、まず、収納ケースとして、列置方向にかかる内側寸法Ｂが、電池の寸法バラツキを考慮した想定され得る電池スタックの列置方向寸法の最大値よりも大きな収納ケースを用意する。また、収納ケース内に配置する板状のスペーサであって、電池スタックと収納ケースとの間の隙間を埋めるためのスペーサを多数用意する。但し、スペーサとして、異なる厚み（列置方向寸法）を有する複数種類のスペーサを用意する。
【０００７】
そして、拘束荷重付与装置等を用いて、列置方向に一列に列置された複数の電池を有する電池スタックに対し、列置方向に一定の拘束荷重をかけ、この状態を保持する。さらに、電池スタックを収納ケース内に収納するのに先立って、列置方向に一定の拘束荷重がかけられた状態の電池スタックについて、列置方向の寸法Ａ（収納ケース内に配置される部位の列置方向寸法）を測定し、収納ケースの列置方向にかかる内側寸法Ｂから電池スタックの列置方向の寸法Ａを差し引いた差分値Ｃ（＝Ｂ−Ａ）を算出する。そして、多数のスペーサの中から、合計の厚み（列置方向寸法）が差分値Ｃとなる１または複数のスペーサを選択し、電池スタックを収納ケース内に収納するのに先立って、収納ケース内に選択した複数のスペーサを配置する。例えば、１つのスペーサを収納ケースの一方端側壁部に接触させるようにして、複数のスペーサを収納ケースの一方端側壁部側に重ねて配置する。
【０００８】
この状態で、複数のスペーサと収納ケースの他方端側壁部との間に電池スタックが挟まれるように、拘束荷重付与装置等によって列置方向に一定の拘束荷重がかけられている状態の電池スタックを、収納ケース内に収納する。その後、拘束荷重付与装置等による電池スタックへの拘束荷重の付与を解放する。このようにすることで、列置方向に一定の拘束荷重がかけられた状態の電池スタックを有する電池パックを製造することができる。
【０００９】
しかしながら、上述の製造方法では、収納ケース内にスペーサを配置した状態で、電池スタックを収納ケース内に収納する際に、スペーサが倒れてしまうことがあり、スムーズに電池パックを製造できないことがあった。このため、スペーサを使用することなく、簡易に、収納ケース内に収納された電池スタックが列置方向に加圧された（圧縮荷重が付加された）状態にできるように、製造し易い電池パックが求められていた。
【００１０】
本発明は、かかる現状に鑑みてなされたものであって、製造し易い電池パックを提供することを目的とする。
【課題を解決するための手段】
【００１１】
本発明の一態様は、列置方向に一列に列置された複数の電池を有する電池スタックと、前記電池スタックを収納する収納ケースと、を備える電池パックであって、前記収納ケースの壁部のうち前記列置方向の一方端側に位置する一方端側壁部であって、前記電池スタックのうち前記列置方向の一方端側に位置する一方端部と対向する一方端側壁部は、当該一方端側壁部を前記列置方向に貫通する雌ネジ孔を有し、前記電池スタックのうち前記列置方向の他方端側に位置する他方端部は、前記収納ケースの壁部のうち前記列置方向の他方端側に位置する他方端側壁部に接触しており、前記電池パックは、前記雌ネジ孔に螺挿されて前記一方端側壁部を貫通する態様で前記一方端側壁部に装着された加圧ボルトであって、当該加圧ボルトの先端部が前記電池スタックの前記一方端部に当接する加圧ボルトを有し、前記電池スタックは、前記収納ケースの前記他方端側壁部と前記加圧ボルトの前記先端部との間に挟まれる態様で、前記列置方向に加圧されている電池パックである。
【００１２】
上述の電池パックは、列置方向に一列に列置された複数の電池を有する電池スタックと、電池スタックを収納する収納ケースとを備える。
この電池パックでは、収納ケースの一方端側壁部が、当該一方端側壁部を列置方向に貫通する雌ネジ孔を有している。ここで、収納ケースの一方端側壁部とは、収納ケースの壁部のうち列置方向の一方端側に位置する壁部であって、電池スタックの一方端部と対向する壁部である。また、電池スタックの一方端部とは、電池スタックの端部のうち列置方向の一方端側に位置する端部である。
【００１３】
さらに、上述の電池パックでは、電池スタックの他方端部が、収納ケースの他方端側壁部に接触している。ここで、電池スタックの他方端部とは、電池スタックの端部のうち列置方向の他方端側に位置する端部であり、列置方向について一方端部の反対側に位置する端部である。また、収納ケースの他方端側壁部とは、収納ケースの壁部のうち列置方向の他方端側に位置する壁部であって、列置方向について一方端側壁部の反対側に位置する壁部である。
【００１４】
さらに、上述の電池パックは、一方端側壁部の雌ネジ孔に螺挿されて一方端側壁部を貫通する態様で一方端側壁部に装着された加圧ボルトを有している。この加圧ボルトの先端部は、電池スタックの一方端部に当接している。
【００１５】
これにより、上述の電池パックでは、電池スタック（これに含まれる複数の電池）が、収納ケースの他方端側壁部と加圧ボルトの先端部との間に挟まれる態様で、列置方向に加圧されている（圧縮荷重が付加されている）。
【００１６】
このような構成の電池パックは、製造し易い電池パックとなっている。例えば、以下のようにして製造することで、スペーサを使用することなく、簡易に、収納ケース内に収納された電池スタックが列置方向に加圧された（圧縮荷重が付加された）状態の電池パックを製造することができる。
【００１７】
まず、列置方向に一列に列置された複数の電池を有する電池スタックを用意する。さらに、一方端側壁部を列置方向に貫通する雌ネジ孔を有する収納ケースを用意する。そして、用意した電池スタックを、用意した収納ケース内に収納する。但し、このとき、電池スタックの一方端部を、列置方向について収納ケースの一方端側壁部に対向させると共に、電池スタックの他方端部を、収納ケースの他方端側壁部に接触させた状態にする。
【００１８】
次に、一方端側壁部の雌ネジ孔に螺合可能な雄ネジを有する加圧ボルトを用意し、この加圧ボルトを、一方端側壁部の外側から雌ネジ孔に螺挿してゆき、加圧ボルトの先端部を電池スタックの一方端部に当接させる。さらに、加圧ボルトを螺挿してゆくことで、収納ケースの他方端側壁部と加圧ボルトの先端部との間に電池スタックを挟む態様で、電池スタックを列置方向に加圧する（電池スタックに対し列置方向に圧縮荷重を付加する）。
【００１９】
このような構成では、一方端側壁部の内面（電池スタック側を向く面）からの加圧ボルトの突出量（突出長さ）を調整する（すなわち、加圧ボルトの締め付け量を調整する）ことで、電池スタックに対する圧縮荷重を調整することができる。従って、一方端側壁部の内面からの加圧ボルトの突出量（突出長さ）を調整する（すなわち、加圧ボルトの締め付け量を調整する）ことで、電池スタックに対する圧縮荷重を、予め設定した規定値にすることができる。
【００２０】
詳細には、電池スタックにおいて列置方向の寸法にバラツキが生じている場合でも、一方端側壁部の内面からの加圧ボルトの突出量を調整する（すなわち、加圧ボルトの締め付け量を調整する）ことで、列置方向の寸法が異なる電池スタックに対し、適切に、予め設定した規定の（一定の）圧縮荷重を付加させることができる。具体的には、例えば、電池スタックに対する圧縮荷重が規定の値になるように、加圧ボルトの締め付けの程度を調整するだけで、列置方向の寸法が異なる電池スタックに対し、適切に、予め設定した規定の（一定の）圧縮荷重を付加させることができる。
以上説明したように、上述の電池パックは、製造し易い電池パックとなっている。
【００２１】
なお、上述の電池パックは、電池スタックが収納ケース内に１つ（１列）設けられる場合に限らず、複数（複数列）の電池スタックが、収納ケース内に、列置方向に直交する方向（幅方向）に並んで設けられる場合も含む。
また、雌ネジ孔及び加圧ボルトは、１つ（１列）の電池スタックに対し、１個ずつ設ける場合に限らず、１つの電池スタックに対し、複数個ずつ設ける場合も含む。
【００２２】
さらに、前記の電池パックであって、前記加圧ボルトが緩んで前記加圧ボルトの前記先端部が前記電池スタックから離間する方向に移動しないように、前記雌ネジ孔に前記加圧ボルトが挿通された状態で、前記雌ネジ孔の一部を変形させてなる電池パックとするのが好ましい。
【００２３】
換言すれば、前記の電池パックであって、前記収納ケースの前記一方端側壁部は、前記加圧ボルトが緩んで前記加圧ボルトの前記先端部が前記電池スタックから離間する方向に移動することを防止するボルト緩み防止部であって、前記雌ネジ孔に前記加圧ボルトが挿通された状態で前記雌ネジ孔の一部を変形させてなるボルト緩み防止部、を有する電池パックとするのが好ましい。
【００２４】
上述の電池パックによれば、加圧ボルトが緩んで加圧ボルトの先端部が電池スタックから離間する方向に移動することを防止することができる。これにより、上述の電池パックでは、電池スタック（これに含まれる複数の電池）が、収納ケースの他方端側壁部と加圧ボルトの先端部との間に挟まれる態様で、列置方向に加圧されている（圧縮荷重が付加されている）状態を、長期間にわたって維持することができる。より具体的には、電池スタックに対する圧縮荷重が、長期間にわたって、製造時に設定した規定値から低下し難くなる。例えば、電池スタックに対する圧縮荷重を、長期間にわたって、製造時に設定した規定値に維持することができる。
【００２５】
なお、ボルト緩み防止部は、例えば、前記雌ネジ孔の前記加圧ボルトが挿通された状態で、前記収納ケースの前記一方端側壁部の加締めによって、雌ネジ孔の一部を当該雌ネジ孔の径方向内側に突出する態様に変形させることで形成することができる。
【図面の簡単な説明】
【００２６】
【図１】実施形態にかかる電池パックの部分断面概略図である。
【図２】図１のＥ部拡大図である。
【図３】実施形態にかかる電池スタックの側面視概略図である。
【図４】実施形態にかかる収納ケースの断面概略図である。
【図５】電池パックの製造方法を説明する図である。
【図６】電池パックの製造方法を説明する他の図である。
【図７】図６のＧ部拡大図である。
【図８】電池パックの製造方法を説明する他の図である。
【発明を実施するための形態】
【００２７】
次に、本発明の実施形態について説明する。図１は、実施形態にかかる電池パック１の部分断面概略図である。図２は、図１のＥ部拡大図である。図３は、実施形態にかかる電池スタック１０の側面視概略図である。図４は、実施形態にかかる収納ケース２０の断面概略図である。
【００２８】
本実施形態の電池パック１は、図１に示すように、列置方向ＤＬ（図１において左右方向）に一列に列置された複数の電池１１を有する電池スタック１０と、電池スタック１０を収納する収納ケース２０とを備える。なお、本実施形態の電池パック１では、収納ケース２０内に、２つ（２列）の電池スタック１０が収納されている。具体的には、収納ケース２０の幅方向（図１において紙面に直交する方向）に、２つの電池スタック１０が並んでいる。
【００２９】
電池スタック１０は、図３に示すように、列置方向ＤＬに一列に配置された複数の電池１１と、列置方向ＤＬに隣り合う電池１１の間に介在する冷却板１２と、これらを列置方向ＤＬに挟んで固定するための一対のエンドプレート１３，１４とを備えている。電池１１は、直方体形状をなしている。なお、本実施形態では、冷却板１２、及び、エンドプレート１３，１４は、電気絶縁性を有する樹脂により形成されている。
【００３０】
また、収納ケース２０は、金属からなり、略矩形箱形状をなしている。なお、本実施形態では、収納ケース２０は、アルミダイキャストによって形成されている。図１及び図４に示すように、収納ケース２０の一方端側壁部２１ｂには、一方端側壁部２１ｂを列置方向ＤＬに貫通する雌ネジ孔２１ｆが形成されている。ここで、収納ケース２０の一方端側壁部２１ｂとは、収納ケース２０の壁部２１のうち列置方向ＤＬの一方端側ＤＬ１（図１及び図４において右側）に位置する壁部２１である。
【００３１】
この一方端側壁部２１ｂは、電池スタック１０の一方端部１０ｂの外面１０ｊ（具体的には、エンドプレート１３の外面１３ｊ）と、列置方向ＤＬに対向している。ここで、電池スタック１０の一方端部１０ｂとは、電池スタック１０の端部のうち列置方向ＤＬの一方端側ＤＬ１（図１及び図３において右側）に位置する端部である。
【００３２】
なお、本実施形態では、収納ケース２０の一方端側壁部２１ｂのうち、収納ケース２０の幅方向（図１及び図４において紙面に直交する方向）に並ぶ２つの電池スタック１０の一方端部１０ｂの外面１０ｊ（具体的には、エンドプレート１３の外面１３ｊ）のそれぞれと列置方向ＤＬに対向する位置に、雌ネジ孔２１ｆが形成されている。すなわち、収納ケース２０の一方端側壁部２１ｂには、２個の雌ネジ孔２１ｆが、収納ケース２０の幅方向（図１及び図４において紙面に直交する方向）に間隔を空けて形成されている。
【００３３】
さらに、本実施形態の電池パック１では、電池スタック１０の他方端部１０ｃが、収納ケース２０の他方端側壁部２１ｃに接触（当接）している。ここで、電池スタック１０の他方端部１０ｃとは、電池スタック１０の端部のうち列置方向ＤＬの他方端側ＤＬ２（図１及び図３において左側）に位置する端部であり、列置方向ＤＬについて一方端部１０ｂの反対側に位置する端部である。また、収納ケース２０の他方端側壁部２１ｃとは、収納ケース２０の壁部２１のうち列置方向ＤＬの他方端側ＤＬ２に位置する壁部であって、列置方向ＤＬについて一方端側壁部２１ｂの反対側に位置する壁部である。
【００３４】
さらに、本実施形態の電池パック１は、一方端側壁部２１ｂの雌ネジ孔２１ｆに螺挿されて、一方端側壁部２１ｂを貫通する態様で一方端側壁部２１ｂに装着された加圧ボルト３０を有している（図１及び図４参照）。この加圧ボルト３０は、雌ネジ孔２１ｆ（雌ネジ部２１ｇ、図７参照）に螺合する雄ネジ部３１と、頭部３２とを有する。前述したように、一方端側壁部２１ｂには、２個の雌ネジ孔２１ｆが形成されている。従って、加圧ボルト３０は、それぞれの雌ネジ孔２１ｆに螺挿されて、一方端側壁部２１ｂを貫通する態様で一方端側壁部２１ｂに装着されている。すなわち、本実施形態の電池パック１では、加圧ボルト３０が２個設けられている。
【００３５】
それぞれの加圧ボルト３０の先端部３０ｂは、電池スタック１０の一方端部１０ｂの外面１０ｊ（具体的には、エンドプレート１３の外面１３ｊ）に当接している。具体的には、加圧ボルト３０の先端部３０ｂは、電池スタック１０の一方端部１０ｂの外面１０ｊ（具体的には、エンドプレート１３の外面１３ｊ）を、規定の荷重で押圧している。
【００３６】
このような構成により、本実施形態の電池パック１では、電池スタック１０（これに含まれる複数の電池１１）が、収納ケース２０の他方端側壁部２１ｃの内面２１ｋと加圧ボルト３０の先端部３０ｂとの間に挟まれる態様で、規定の荷重で列置方向ＤＬに加圧されている（規定の圧縮荷重が付加されている）。より具体的には、電池スタック１０の一方端部１０ｂが、加圧ボルト３０によって列置方向ＤＬの他方端側ＤＬ２（図１において左側）に押圧されると共に、電池スタック１０の他方端部１０ｃが、収納ケース２０の他方端側壁部２１ｃによって列置方向ＤＬの一方端側ＤＬ１（図１において右側）に押圧される態様で、電池スタック１０に対し、列置方向ＤＬに規定の（一定）の拘束荷重（圧縮荷重）がかけられている。これにより、エンドプレート１３と１４との間に挟まれている複数の電池１１に対し、列置方向ＤＬについて一定の（規定の）圧縮荷重を付加した状態にすることができる。
【００３７】
さらに、本実施形態の電池パック１では、加圧ボルト３０が緩んで加圧ボルト３０の先端部３０ｂが電池スタック１０から離間する方向（列置方向ＤＬの一方端側ＤＬ１、図１において右側）に移動しないようにするために、雌ネジ孔２１ｆに加圧ボルト３０が挿通された状態（詳細には、加圧ボルト３０によって電池スタック１０の一方端部１０ｂを規定の荷重で押圧した状態）で、雌ネジ孔２１ｆ（雌ネジ部２１ｇ）の一部を変形させている（図２参照）。
【００３８】
換言すれば、本実施形態の電池パック１では、収納ケース２０の一方端側壁部２１ｂが、加圧ボルト３０が緩んで加圧ボルト３０の先端部３０ｂが電池スタック１０から離間する方向（列置方向ＤＬの一方端側ＤＬ１、図１において右側）に移動することを防止するボルト緩み防止部２１ｈであって、雌ネジ孔２１ｆに加圧ボルト３０が挿通された状態で雌ネジ孔２１ｆ（雌ネジ部２１ｇ）の一部を変形させてなるボルト緩み防止部２１ｈを有する（図２参照）。
【００３９】
なお、図２は、図１のＥ部拡大図である。図２に示す二点鎖線は、雌ネジ孔２１ｆ（雌ネジ部２１ｇ）を変形させる前の雌ネジ孔２１ｆ（雌ネジ部２１ｇ）の断面の外形線（図７参照）である。図２に示すように、本実施形態の電池パック１では、雌ネジ孔２１ｆ（雌ネジ部２１ｇ）の一部を、雌ネジ孔２１ｆの径方向内側（加圧ボルト３０の雄ネジ部３１側）に突出する態様に変形させて（変形させることでボルト緩み防止部２１ｈを形成し）、雌ネジ部２１ｇの一部（ボルト緩み防止部２１ｈ）を、加圧ボルト３０の雄ネジ部３１に密着させている。
【００４０】
なお、本実施形態では、雌ネジ孔２１ｆに加圧ボルト３０が挿通された状態（詳細には、加圧ボルト３０によって電池スタック１０の一方端部１０ｂを規定の荷重で押圧した状態）で、収納ケース２０の一方端側壁部２１ｂの加締め部２１ｄ（一方端側壁部２１ｂの上面の一部）を加締める（詳細には、一方端側壁部２１ｂの加締め部２１ｄを下方に押圧して凹形状に変形させる、図１参照）ことによって、雌ネジ孔２１ｆ（雌ネジ部２１ｇ）の一部を雌ネジ孔２１ｆの径方向内側に突出する態様に変形させることで、ボルト緩み防止部２１ｈを形成している。
【００４１】
このような電池パック１によれば、加圧ボルト３０が緩んで、加圧ボルト３０の先端部３０ｂが電池スタック１０から離間する方向（列置方向ＤＬの一方端側ＤＬ１、図１において右側）に移動することを防止することができる。これにより、本実施形態の電池パック１では、電池スタック１０（これに含まれる複数の電池１１）が、収納ケース２０の他方端側壁部２１ｃと加圧ボルト３０の先端部３０ｂとの間に挟まれる態様で、列置方向ＤＬに加圧されている（圧縮荷重が付加されている）状態を、長期間にわたって維持することができる。
【００４２】
より具体的には、電池スタック１０（これに含まれる複数の電池１１）に対する圧縮荷重が、長期間にわたって、製造時に設定した規定値から低下し難くなる。例えば、電池スタック１０（これに含まれる複数の電池１１）に対する圧縮荷重を、長期間にわたって、製造時に設定した規定値に維持することができる。
【００４３】
このような構成の電池パック１は、製造し易い電池パックとなっている。具体的には、後述するようにして電池パック１を製造することで、スペーサを使用することなく、簡易に、収納ケース２０内に収納された電池スタック１０が列置方向ＤＬに加圧された（圧縮荷重が付加された）状態の電池パック１を製造することができる。
【００４４】
次に、本実施形態にかかる電池パック１の製造方法について説明する。
まず、列置方向ＤＬに一列に配置された複数の電池１１と、列置方向ＤＬに隣り合う電池１１の間に介在する冷却板１２と、これらを列置方向ＤＬに挟んで固定するためのエンドプレート１３，１４とを備えた、電池スタック１０を用意する（図３参照）。
【００４５】
さらに、一方端側壁部２１ｂに雌ネジ孔２１ｆが形成された収納ケース２０を用意する（図４参照）。なお、本実施形態の収納ケース２０では、列置方向ＤＬにかかる内側寸法が、電池１１の寸法バラツキを考慮した電池スタック１０の列置方向寸法（列置方向ＤＬにかかる寸法）の想定され得る最大値よりも大きくされている。すなわち、収納ケース２０内に電池スタック１０のみを配置したときには、必ず、列置方向ＤＬについて収納ケース２０の内面と電池スタック１０との間に隙間ができるようにされている。
【００４６】
さらに、一方端側壁部２１ｂの外側（収納ケース２０の外側）から、一方端側壁部２１ｂの雌ネジ孔２１ｆに加圧ボルト３０の雄ネジ部３１を螺挿させて、一方端側壁部２１ｂに加圧ボルト３０を装着する（図４参照）。但し、このとき、加圧ボルト３０の先端部３０ｂが、一方端側壁部２１ｂの内面２１ｊから収納ケース２０の内側に突出しないようにしておく。
【００４７】
次いで、用意した電池スタック１０を、用意した収納ケース２０内に収納する（図５参照）。但し、このとき、電池スタック１０の一方端部１０ｂの外面１０ｊ（具体的には、エンドプレート１３の外面１３ｊ）を、列置方向ＤＬについて収納ケース２０の一方端側壁部２１ｂの内面２１ｊに対向させると共に、電池スタック１０の他方端部１０ｃの外面１０ｋ（具体的には、エンドプレート１４の外面１４ｋ）を、収納ケース２０の他方端側壁部２１ｃの内面２１ｋに接触させた状態にする（図５参照）。
【００４８】
なお、本実施形態では、収納ケース２０をアルミダイキャストによって形成している。アルミダイキャストの上型を抜くため、収納ケース２０の一方端側壁部２１ｂの内面２１ｊと、収納ケース２０の他方端側壁部２１ｃの内面２１ｋとは、上方に向かうにしたがって（収納ケース２０の底面２０ｂから離間するにしたがって）、両者の間の距離（列置方向ＤＬの距離）が拡がる形態のテーパ面（傾斜面）となっている。すなわち、一方端側壁部２１ｂの内面２１ｊは、上方に向かうにしたがって列置方向ＤＬの一方端側ＤＬ１（図４及び図５において右側）に変位する形態の傾斜面となっている。また、他方端側壁部２１ｃの内面２１ｋは、上方に向かうにしたがって列置方向ＤＬの他方端側ＤＬ２（図４及び図５において左側）に変位する形態の傾斜面となっている。
【００４９】
また、電池スタック１０の他方端部１０ｃの外面１０ｋ（具体的には、エンドプレート１４の外面１４ｋ）は、他方端側壁部２１ｃの内面２１ｋと同様に、上方に向かうにしたがって列置方向ＤＬの他方端側ＤＬ２（図３及び図５において左側）に変位する形態の傾斜面（他方端側壁部２１ｃの内面２１ｋと同等の傾斜角の傾斜面）となっている。これにより、電池スタック１０を収納ケース２０内に収納したとき、電池スタック１０の他方端部１０ｃの外面１０ｋ（具体的には、エンドプレート１４の外面１４ｋ）を、適切に、収納ケース２０の他方端側壁部２１ｃの内面２１ｋに接触させた状態にすることができる（図５参照）。
【００５０】
次に、加圧ボルト３０の先端部３０ｂが一方端側壁部２１ｂの内面２１ｊから収納ケース２０の内側に突出するように、加圧ボルト３０の雄ネジ部３１を雌ネジ孔２１ｆに螺挿してゆき（加圧ボルト３０を列置方向ＤＬの他方端側ＤＬ２に移動させてゆき）、加圧ボルト３０の先端部３０ｂを電池スタック１０の一方端部１０ｂの外面１０ｊ（具体的には、エンドプレート１３の外面１３ｊ）に当接させる（図６参照）。さらに、加圧ボルト３０の雄ネジ部３１を雌ネジ孔２１ｆに螺挿してゆく（加圧ボルト３０を列置方向ＤＬの他方端側ＤＬ２に移動させてゆく）ことで、加圧ボルト３０の先端部３０ｂによって、電池スタック１０の一方端部１０ｂの外面１０ｊ（具体的には、エンドプレート１３の外面１３ｊ）を、規定の荷重で押圧する（図６参照）。
【００５１】
これにより、収納ケース２０の他方端側壁部２１ｃと加圧ボルト３０の先端部３０ｂとの間に電池スタック１０を挟む態様で、電池スタック１０（これに含まれる複数の電池１１）が列置方向ＤＬに加圧された（電池スタック１０に対し列置方向ＤＬに圧縮荷重が付加された）状態にする。より具体的には、電池スタック１０の一方端部１０ｂが、加圧ボルト３０によって列置方向ＤＬの他方端側ＤＬ２（図６において左側）に押圧されると共に、電池スタック１０の他方端部１０ｃが、収納ケース２０の他方端側壁部２１ｃによって列置方向ＤＬの一方端側ＤＬ１（図６において右側）に押圧される態様で、電池スタック１０に対し、列置方向ＤＬに規定の（一定）の圧縮荷重（例えば、５．１ｋＮ）がかけられた状態にする。これにより、エンドプレート１３と１４との間に挟まれている複数の電池１１に対し、列置方向ＤＬについて一定の（規定の）圧縮荷重を付加した状態にする。
【００５２】
ところで、電池スタック１０を構成する電池１１には、列置方向ＤＬの寸法（厚み）に少なからずバラツキ（製造誤差）がある。このため、複数の電池１１が列置方向ＤＬに列置された電池スタック１０では、列置方向ＤＬの寸法にバラツキが生じてしまうことがある。
【００５３】
これに対し、本実施形態では、上述したように、加圧ボルト３０が、一方端側壁部２１ｂの内面２１ｊから収納ケース２０の内側に突出する態様で、加圧ボルト３０の先端部３０ｂによって、電池スタック１０の一方端部１０ｂの外面１０ｊ（具体的には、エンドプレート１３の外面１３ｊ）を規定の荷重で押圧することで、電池スタック１０に対し、列置方向ＤＬに規定の（一定）の圧縮荷重を付加するようにしている。
【００５４】
従って、電池スタック１０において列置方向ＤＬの寸法にバラツキが生じている場合でも、一方端側壁部２１ｂの内面２１ｊからの加圧ボルト３０の突出量を調整する（すなわち、加圧ボルト３０の締め付け量を調整する）ことで、列置方向ＤＬの寸法が異なる電池スタック１０に対し、適切に、予め設定した規定の（一定の）圧縮荷重を付加させることができる。具体的には、電池スタック１０に対する圧縮荷重が規定の値になるように、加圧ボルト３０の締め付けの程度を調整するだけで、列置方向ＤＬの寸法が異なる電池スタック１０に対し、適切に、予め設定した規定の（一定の）圧縮荷重を付加させることができる。
【００５５】
なお、本実施形態では、一旦、電池スタック１０に対する圧縮荷重が、規定の荷重（例えば、５．１ｋＮ）よりも大きな値（例えば９．３ｋＮ）になるまで、加圧ボルト３０を締め付けてゆき（列置方向ＤＬの他方端側ＤＬ２に移動させてゆき）、その後、所定時間放置している。すなわち、規定値よりも大きな荷重を電池スタック１０に付加している状態を、所定時間維持している。その後、加圧ボルト３０を緩めてゆき（列置方向ＤＬの一方端側ＤＬ１に移動させてゆき）、電池スタック１０に対する圧縮荷重の値を、規定の値（例えば、５．１ｋＮ）に調整している。このようにすることで、樹脂からなるエンドプレート１３，１４及び冷却板１２のクリープ現象の影響による、電池スタック１０に対する圧縮荷重の低下を低減することができる。
【００５６】
次いで、加圧ボルト３０が緩んで加圧ボルト３０の先端部３０ｂが電池スタック１０から離間する方向（列置方向ＤＬの一方端側ＤＬ１、図６において右側）に移動しないようにするために、雌ネジ孔２１ｆに加圧ボルト３０が挿通された状態（詳細には、加圧ボルト３０によって電池スタック１０の一方端部１０ｂを規定の荷重で押圧した状態）で、雌ネジ孔２１ｆ（雌ネジ部２１ｇ）の一部を変形させて、ボルト緩み防止部２１ｈを形成する（図２参照）。
【００５７】
換言すれば、収納ケース２０の一方端側壁部２１ｂが、加圧ボルト３０が緩んで加圧ボルト３０の先端部３０ｂが電池スタック１０から離間する方向（列置方向ＤＬの一方端側ＤＬ１、図６において右側）に移動することを防止するボルト緩み防止部２１ｈであって、雌ネジ孔２１ｆに加圧ボルト３０が挿通された状態で雌ネジ孔２１ｆ（雌ネジ部２１ｇ）の一部を変形させてなるボルト緩み防止部２１ｈを形成する（図２参照）。
【００５８】
具体的には、図８に示すように、雌ネジ孔２１ｆに加圧ボルト３０が挿通された状態（詳細には、加圧ボルト３０によって電池スタック１０の一方端部１０ｂを規定の荷重で押圧した状態）で、収納ケース２０の一方端側壁部２１ｂの加締め部２１ｄ（一方端側壁部２１ｂの上面の一部）を加締める。詳細には、図８に示すように、一方端側壁部２１ｂの加締め部２１ｄを下方に押圧して（押圧力Ｆを下方に加えて）、加締め部２１ｄを凹形状に変形させる（図１参照）。これによって、雌ネジ孔２１ｆ（雌ネジ部２１ｇ）の一部を雌ネジ孔２１ｆの径方向内側に突出する態様に変形させて、ボルト緩み防止部２１ｈを形成する（図２参照）。
【００５９】
なお、図７は、図６のＧ部拡大図であり、雌ネジ孔２１ｆ（雌ネジ部２１ｇ）の一部を変形させる前の雌ネジ孔２１ｆ（雌ネジ部２１ｇ）と雄ネジ部３１の部分拡大断面図である。一方、図２は、図１のＥ部拡大図であり、雌ネジ孔２１ｆ（雌ネジ部２１ｇ）の一部を変形させた後の雌ネジ孔２１ｆ（雌ネジ部２１ｇ）と雄ネジ部３１の部分拡大断面図である。なお、図２に示す二点鎖線は、雌ネジ孔２１ｆ（雌ネジ部２１ｇ）を変形させる前の雌ネジ孔２１ｆ（雌ネジ部２１ｇ）の断面の外形線（図７参照）である。
【００６０】
本実施形態では、上述のようにして、雌ネジ孔２１ｆ（雌ネジ部２１ｇ）の一部を、雌ネジ孔２１ｆの径方向内側（加圧ボルト３０の雄ネジ部３１側）に突出する態様に変形させて（変形させることでボルト緩み防止部２１ｈを形成し）、雌ネジ部２１ｇの一部（ボルト緩み防止部２１ｈ）を、加圧ボルト３０の雄ネジ部３１に密着させている（図２参照）。これにより、加圧ボルト３０の緩みを防止することができる。
以上のようにして、本実施形態の電池パック１（図１参照）が完成する。
【００６１】
このような電池パック１によれば、加圧ボルト３０が緩んで、加圧ボルト３０の先端部３０ｂが電池スタック１０から離間する方向（列置方向ＤＬの一方端側ＤＬ１、図１において右側）に移動することを防止することができる。これにより、本実施形態の電池パック１では、電池スタック１０（これに含まれる複数の電池１１）が、収納ケース２０の他方端側壁部２１ｃと加圧ボルト３０の先端部３０ｂとの間に挟まれる態様で、列置方向ＤＬに加圧されている（圧縮荷重が付加されている）状態を、長期間にわたって維持することができる。
【００６２】
より具体的には、電池スタック１０（これに含まれる複数の電池１１）に対する圧縮荷重が、長期間にわたって、製造時に設定した規定値から低下し難くなる。例えば、電池スタック１０（これに含まれる複数の電池１１）に対する圧縮荷重を、長期間にわたって、製造時に設定した規定値に維持することができる。
以上説明したように、本実施形態の電池パック１は、製造し易い電池パックとなっている。
【００６３】
以上において、本発明を実施形態に即して説明したが、本発明は上記実施形態に限定されるものではなく、その要旨を逸脱しない範囲で、適宜変更して適用できることはいうまでもない。
【００６４】
例えば、実施形態では、１つ（１列）の電池スタック１０に対し、雌ネジ孔２１ｆ及び加圧ボルト３０を、１個ずつ設けるようにした。しかしながら、雌ネジ孔２１ｆ及び加圧ボルト３０は、１つ（１列）の電池スタック１０に対し、複数個ずつ設けるようにしても良い。すなわち、複数の加圧ボルト３０によって、１つの電池スタック１０の一方端部１０ｂの外面１０ｊ（具体的には、１枚のエンドプレート１３の外面１３ｊ）を押圧するようにしても良い。
【００６５】
また、実施形態では、２つ（２列）の電池スタック１０が幅方向に並んで収納ケース２０内に収納された電池パック１を示したが、本発明では、収納ケース内に収納される電池スタックの数は、いくつであっても良い。本発明は、１つ（１列）の電池スタックが収納ケース内に収納された電池パックにも適用することができるし、３つ（３列）以上の電池スタックが幅方向に並んで収納ケース内に収納された電池パックにも適用することができる。
【符号の説明】
【００６６】
１  電池パック
１０  電池スタック
１０ｂ  一方端部
１０ｃ  他方端部
１１  電池
１２  冷却板
１３，１４  エンドプレート
２０  収納ケース
２１  壁部
２１ｂ  一方端側壁部
２１ｃ  他方端側壁部
２１ｄ  加締め部
２１ｆ  雌ネジ孔
２１ｇ  雌ネジ部
２１ｈ  ボルト緩み防止部
３０  加圧ボルト
３０ｂ  先端部
３１  雄ネジ部
ＤＬ  列置方向
ＤＬ１  列置方向の一方端側
ＤＬ２  列置方向の他方端側
【図１】
2020102331.tif 000003
【図２】
2020102331.tif 000004
【図３】
2020102331.tif 000005
【図４】
2020102331.tif 000006
【図５】
2020102331.tif 000007
【図６】
2020102331.tif 000008
【図７】
2020102331.tif 000009
【図８】
2020102331.tif 000010